(57)【要約】【課題】保持力が強力で対象紙片の確実な綴じ込みを確保できるようにすること。【解決手段】長方形の板状ベース部１と、その一側辺に沿って起伏自在に配したレバー部材２と、レバー部材２を起立方向に付勢するネジリコイルバネ４と、板状ベース部１の他側辺に沿ってその上面に離接自在に配した綴じ板６と、綴じ板６の長さ方向中央部に先端部を回動自在に結合した、ネジリコイルバネ４から延長するクランク状アーム７と、クランク状アーム７の両側に位置し、綴じ板６に先端部を回動自在に結合し、後端をブラケット１ｂ、１ｄに回動自在に取り付けた補助クランク状アーム８ａ、８ｂと、で構成し、綴じ板６を、その四辺に沿った押圧部６ａとその上に上細り状に立ち上がる容器状部６ｂとで構成し、かつ板状ベース部１の押圧部６ａの内側に対応する部位に弾性板材９を固設したものである。【選択図】  図１
0003174149.tif 000002
【実用新案登録請求の範囲】
【請求項１】
平面視で長方形状の板状ベース部と、その一側辺に沿って起伏自在に配したレバー部材と、該レバー部材を起伏自在に支持すべく該一側辺近傍の該板状ベース部上に該一側辺と直交する向きに配した支軸と、該板状ベース部の前記一側辺に立ち上げた係止側板であって、該レバー部材を最下部まで伏動作させた場合に、その側部に突出する係止突起を係止して該レバー部材をその伏状態に保持する係止穴を開口した係止側板と、前記支軸に外装したネジリコイルバネであって、該レバー部材にこれを起立方向に付勢すべくその一端を結合し、他端を該係止側板に結合したネジリコイルバネと、前記支軸を該係止側板と共に支持すべく前記板状ベース部上に立ち上げたブラケットと、前記板状ベース部の他側辺に沿ってその上面に離接自在に配した綴じ板と、該綴じ板の長さ方向中央部にこれと直交する向きの先端部を回動自在に結合したクランク状アームであって、前記ネジリコイルバネの他端から延長したクランク状アームと、該綴じ板の長さ方向に沿って該クランク状アームと直列に並ぶ該クランク状アームの両側の補助クランク状アームであって、該綴じ板にその長さ方向に直交する向きの先端部を回動自在に結合し、後端部を板状ベース部に立ち上げたブラケット及び前記係止側板に回動自在に取り付けた補助クランク状アームと、で構成した綴じ金具において、
前記綴じ板を、四辺に沿った押圧部と、該押圧部から上細り状に立ち上がる容器状部とで構成し、
かつ前記板状ベース部の前記綴じ板と対面する部位には、前記押圧部の内側に対応する部位に滑り止め用の弾性板材を固設した綴じ金具。
【請求項２】
前記板状ベース部の前記弾性板材を固設する部位のうち、該弾性板材と相似形で一定割合だけ小さな範囲を上方に膨らませた台形膨出部に構成した請求項１の綴じ金具。
【請求項３】
前記板状ベース部の前記綴じ板を離接させる部位とこれに近接する側の側辺との間に該側辺に平行な突条を構成した請求項１又は２の綴じ金具。
【請求項４】
前記板状ベース部の台形膨出部にその長さ方向に沿って複数の取付穴を連設開口し、他方、前記弾性板材の下面に、これを該台形膨出部に配した場合に該取付穴の各々と対応することとなる部位に該取付穴に結合可能な結合突起を構成した請求項２の綴じ金具。
【考案の詳細な説明】
【技術分野】
【０００１】
本考案は、ファイル対象紙片を綴じるファイリング部と、これを支持しつつファイル用バインダの背表紙部内面又は裏表紙部内面の背表紙部に近接する部位に取り付けるための板状ベース部とからなる綴じ金具であって、ファイル対象紙片のファイリングをより確実に行うことができる綴じ金具に関するものである。
【背景技術】
【０００２】
この種の綴じ金具に関連する先行技術中に特許文献１の綴具がある。
この綴具は、側壁を有する板状の基台、
前記側壁とほぼ平行に延びる側面部材を備え、前記基台上に変位可能に支持されて、前記基台の主面との間に書類等の被挟持物を挟持する、両端に滑止部材を配した挟持体、
前記基台の側壁に支持された枢支軸に回動自在に巻着されて、一端部が前記挟持体に接続されるネジリコイルバネ、
前記ネジリコイルバネの他端部が接続され、前記枢支軸を中心に揺動することにより前記ネジリコイルバネを回動させて前記挟持体を移動させ、前記挟持体を前記基台へ向かって付勢しながら前記ネジリコイルバネをねじり圧縮する操作レバー、および前記基台の側壁と前記操作レバーとの間に設けられ、前記ネジリコイルバネをねじり圧縮した状態で前記操作レバーを前記側壁に係着する係着手段を含む綴具であって、
前記挟持体の側面部材の前記基台と対向する縁部に前記基台へ向かって突出して形成される第１の突部と、前記基台から前記縁部に向かって突出して形成される第２の突部とを含むものである。なお、以上の第２の突部は、前記挟持体の縁部の長手方向にほぼ直交する方向へ長く延びるよう前記基台上に形成されることもある。
【０００３】
この特許文献１の綴具では、前記挟持体と基台とで書類等の被挟持物を挟持するものであり、これにより被挟持物を挟持する際に、該被挟持物は、上方の挟持体の両端の滑り止め及び両側面から突出垂下する複数の第１の突部と、基台の対面する部位に突出させた複数の第２の突部との作用を強く受けることになるとされる。すなわち、以上の挟持の際に、それらの突部に力が集中し、挟持作用が強くなるのだとされる。
【０００４】
しかし基台及び挟持体は金属で構成されると思われ、第１及び第２の突部もそのような摩擦力が大きいとは言い難い金属製の挟持体と基台との対応する部位を突出させたに過ぎないものである。またそれらの突部は面積が非常に小さく、挟持の際に、被挟持物に対する広い接触面積を確保することはできない。それ故、挟持体に対する十分な摩擦力を作用させることができるとは言い難い。従ってこの挟持体と基板とでは被挟持物に対する十分な保持力を確保することは困難であるといわざるを得ない。
【先行技術文献】
【特許文献】
【０００５】
【特許文献１】実用新案登録第３０６９７４９号公報
【考案の概要】
【考案が解決しようとする課題】
【０００６】
本考案は、以上の特許文献１の問題点を解消し、挟持保持している対象紙片を何らかの衝撃を受けたような場合であっても容易に滑り落としてしまうようなことのない、十分な保持力を有し、対象紙片の確実な綴じ込みを確保できる綴じ金具を提供することを解決の課題とする。
【課題を解決するための手段】
【０００７】
本考案の１は、平面視で長方形状の板状ベース部と、その一側辺に沿って起伏自在に配したレバー部材と、該レバー部材を起伏自在に支持すべく該一側辺近傍の該板状ベース部上に該一側辺と直交する向きに配した支軸と、該板状ベース部の前記一側辺に立ち上げた係止側板であって、該レバー部材を最下部まで伏動作させた場合に、その側部に突出する係止突起を係止して該レバー部材をその伏状態に保持する係止穴を開口した係止側板と、前記支軸に外装したネジリコイルバネであって、該レバー部材にこれを起立方向に付勢すべくその一端を結合し、他端を該係止側板に結合したネジリコイルバネと、前記支軸を該係止側板と共に支持すべく前記板状ベース部上に立ち上げたブラケットと、前記板状ベース部の他側辺に沿ってその上面に離接自在に配した綴じ板と、該綴じ板の長さ方向中央部にこれと直交する向きの先端部を回動自在に結合したクランク状アームであって、前記ネジリコイルバネの他端から延長したクランク状アームと、該綴じ板の長さ方向に沿って該クランク状アームと直列に並ぶ該クランク状アームの両側の補助クランク状アームであって、該綴じ板にその長さ方向に直交する向きの先端部を回動自在に結合し、後端部を板状ベース部に立ち上げたブラケット及び前記係止側板に回動自在に取り付けた補助クランク状アームと、で構成した綴じ金具において、
前記綴じ板を、四辺に沿った押圧部と、該押圧部から上細り状に立ち上がる容器状部とで構成し、
かつ前記板状ベース部の前記綴じ板と対面する部位には、前記押圧部の内側に対応する部位に滑り止め用の弾性板材を固設した綴じ金具である。
【０００８】
本考案の２は、本考案の１の綴じ金具において、
前記板状ベース部の前記弾性板材を固設する部位のうち、該弾性板材と相似形で一定割合だけ小さな範囲を上方に膨らませた台形膨出部に構成したものである。
【０００９】
本考案の３は、本考案の１又は２の綴じ金具において、
前記板状ベース部の前記綴じ板を離接させる部位とこれに近接する側の側辺との間に該側辺に平行な突条を構成したものである。
【００１０】
本考案の４は、本考案の２の綴じ金具において、
前記板状ベース部の台形膨出部にその長さ方向に沿って複数の取付孔を連設開口し、他方、前記弾性板材の下面に、これを該台形膨出部に配した場合に該取付孔の各々と対応することとなる部位に該取付孔に結合可能な結合突起を構成したものである。
【考案の効果】
【００１１】
本考案の１の綴じ金具によれば、伏状態のレバー部材について、その係止突起を係止側板の係止穴から外して起立動作を許容すると、これに伴って綴じ板が板状ベース部から浮上することになり、この種の一般の綴じ金具と同様に、該綴じ板と板状ベース部の対面する部位との間に隙間が空いて対象紙片を挿入することができるようになる。この後、該レバー部材を、前記ネジリコイルバネの弾力に抗して最下部まで押し下げる伏動作をさせると、その係止突起が前記係止側板の係止穴に係止してその伏状態が保持されることになる。すなわち、前記綴じ板を浮かせた際に、対象紙片をその下方に挿入しておけば、該対象紙片は、綴じ板と板状ベース部の該当部位との間で挟持され、これによって綴じられた状態となる。
【００１２】
このとき、前記板状ベース部の綴じ板と対面する部位には滑り止め用の弾性板材が配してあり、対象紙片の対応する部位は下方の該弾性板材に圧接状態となり、該対象紙片のその外側の部分を綴じ板の押圧部が上方から圧接することになるので、該対象紙片は交互に上下方向に屈曲させられながら押圧支持されるので、その支持力は強力なものとなる。例えば、前記のように、本考案の１の綴じ金具で対象紙片を綴じた状態で、該綴じ金具を持って対象紙片を下方に吊り下げ、これに衝撃を与えたとしても該対象紙片は容易に該綴じ金具から滑り落ちるようなことはない。
【００１３】
本考案の２の綴じ金具によれば、弾性板材が板状ベース部から盛り上がる状態になるため、この綴じ金具で綴じられた対象紙片は、綴じ板の押圧部と板状ベース部の当接面で挟持された部位より内側では、その弾性板材に当接する面が高く押し上げられることになり、それだけこの弾性板材の上面に強く接触することになる。それ故、該対象紙片の該弾性板材に当接する面は、より一層相互の摩擦による係合が強くなる。従ってこの綴じ金具の保持力は更に強力なものとなる。
【００１４】
本考案の３の綴じ金具によれば、この綴じ金具で綴じられる対象紙片は、板状ベース部の側辺側から突条の上面、綴じ板の押圧部と板状ベース部の上面との間、弾性板材の上面、綴じ板の押圧部と板状ベース部の上面との間というように、高低にジグザグに屈曲させられ、それ故、それぞれの部位でそれぞれと強く接触することになり、この綴じ金具の対象紙片に対する保持力が一層高いものとなっている。
【００１５】
本考案の４の綴じ金具によれば、弾性板材の板状ベース部への取り付けが容易かつ確実に行われるものとなる。
【図面の簡単な説明】
【００１６】
【図１】実施例の綴じ金具の平面図。
【図２】レバー部材を起立させ、綴じ板を浮かせた状態の実施例の綴じ金具の正面図。
【図３】(a)は綴じ板付近の拡大断面図、(b)は弾性板材の中央部を切り欠いた一部切欠平面図、(c)は弾性板材の中央部を切り欠いた一部切欠底面図、(d)は弾性板材の中央部を切り欠いた一部切欠側面図。
【図４】綴じ板の半分及び補助クランク状アームの一部を切り欠いた実施例の綴じ金具の一部切欠拡大平面図。
【図５】綴じ板及び弾性板材を省略し、クランク状アーム及び二つの補助クランク状アームの一部を切り欠いた実施例の綴じ金具の一部省略一部切欠拡大平面図。
【図６】対象紙片を綴じた状態の綴じ板付近の拡大断面図。
【図７】ファイル用バインダに取り付けた状態の実施例の綴じ金具の説明図。
【考案を実施するための形態】
【００１７】
考案を実施するための形態を実施例に基づき図面を参照しながら詳細に説明する。
【００１８】
＜実施例＞
この実施例の綴じ金具は、図１、図２及び図４に示すように、基本的に、平面視で長方形状の板状ベース部１と、その一側辺に沿って起伏自在に配したレバー部材２と、該レバー部材２を起伏自在に支持すべく該板状ベース部上に配した支軸３と、該支軸２に外装したネジリコイルバネ４と、前記板状ベース部１の一側辺に立ち上げた、伏状態のレバー部材２の係止突起２ａを係止させる係止穴５ａを備えた係止側板５と、前記板状ベース部１の他側辺に沿ってその上面に離接自在に配した綴じ板６と、該綴じ板６の長さ方向中央部にこれと直交する向きの先端を回動自在に結合したクランク状アーム７と、前記綴じ板６にその長さ方向に直交する向きの先端部を回動自在に結合した二つの補助クランク状アーム８ａ、８ｂと、前記板状ベース部１の前記綴じ板６と対面する部位に固設した該綴じ板６より小さい滑り止め用の弾性板材９とで構成したものである。
【００１９】
前記板状ベース部１は、前記のように、基本的に平面視で長方形の金属板材からなるものであり、詳細は、後述するように、その一側辺には、前記係止側板５を立ち上げ、他側辺に沿った部位には、突条１０を線状に膨出させ、該係止側板５から一定の間隔で一列に四個のブラケット１ａ、１ｂ、１ｃ、１ｄを立ち上げ、更に両端付近には、図７に示すように、この板状ベース部１をファイル用バインダ１１等の取付対象に取り付けるための取付穴１２、１２を開口してなるものである。
【００２０】
前記レバー部材２は、前記し、図１、図４及び図５に示すように、前記板状ベース部１の一側辺に沿って配するものであり、その基端部を、前記のように、該板状ベース部１に配した支軸３に起伏自在に取り付けるものである。該支軸３は、該板状ベース部１の一側辺に立ち上げた前記係止側板５と、これと一定間隔で配した前記ブラケット１ａ、１ｂ、１ｃ、１ｄの内の、該板状ベース部１の一端から３／４程、他端から１／４程の距離の位置に配したブラケット１ｃとにその主軸部が支持されており、前記レバー部材２の基部は、これに回動起伏自在に取り付けてある。また該レバー部材２は、該支軸３の主軸部に巻装してある前記ネジリコイルバネ４の一端をその下面に抱えるように結合してあり、これによって起立方向に付勢されている。また該レバー部材２は、その側部途中に前記係止突起２ａを突出状態に構成してあり、該レバー部材２をこれが前記板状ベース部１の上面とほぼ平行になるまで伏動作させると、その側部の係止突起２ａが前記係止側板５の係止穴５ａに係止するようになっている。
【００２１】
前記支軸３は、以上のように、その主軸部が前記係止側板５と前記ブラケット１ｃとによって支持されている。より具体的には、主軸部の両端がそれぞれに貫通状態となって支持されている。そして該支軸３は該ブラケット１ｃを貫通した端部には拡大した抜け止めが構成されており、前記係止側板５を貫通した副軸部は、図１，図４及び図５に示すように、該係止側板５の外面側を中央側に延長し、ほぼ中央部で該係止側板５を貫通させて該主軸部と平行に延長し、その端部を前記ブラケット１ｂに貫通させ結合固定しているものである。
【００２２】
前記ネジリコイルバネ４は、前記のように、前記支軸３に巻装してあり、その一端側は前記のように、前記レバー部材２の下部側に抱持された状態に結合してある。他端側は、図１及び図４に示すように、徐々に前記綴じ板６に近づきながら、前記板状ベース部１の中央側に延長し、その先端部を該綴じ板６の長さ方向に直交する向きに屈曲した前記クランク状アーム７を構成するものとなっている。このクランク状アーム７は、前記のように、該綴じ板６の長さ方向中央部にその先端部を回動自在に結合したものでもある。こうして、綴じ板６は、前記レバー部材２を伏操作すると、該ネジリコイルバネ４の作用により、下降し、板状ベース部１の対面する部位に弾力的に当接するようになっている。
【００２３】
前記係止側板５は、前記板状ベース部１の一側辺から立ち上げた側板部材であり、前記のように所定の位置に伏状態となっているレバー部材２の係止突起２ａを係止する係止穴５ａを備え、それぞれ該当する部位に、前記支軸３の副軸部の貫通用の軸孔、前記二つの補助クランク状アーム８ａ、８ｂの基部軸側を回動自在に支持する軸孔が開口してあるものである。
【００２４】
前記綴じ板６は、図１、図２、図３(a)、図４及び図６に示すように、平面視で四辺形(長方形)であり、その四辺に沿った押圧部６ａと、該押圧部６ａから上細り状に立ち上がる容器状部６ｂとで構成したものであり、前記したように、前記板状ベース部１の前記係止側板５を立ち上げた側辺と反対側の側辺に沿ってその上面に離接自在に配したものである。
【００２５】
該綴じ板６は、前記し、図１、図２及び図４に示すように、その長さ方向中央部に前記ネジリコイルバネ４から延長するクランク状アーム７の先端部をその長さ方向に直交する向きに挿入結合し、前記したように、更に前記補助クランク状アーム８ａ、８ｂの該綴じ板６の長さ方向に直交する向きの先端部を該綴じ板６に挿入結合する。該クランク状アーム７の先端部及び該補助クランク状アーム８ａ、８ｂの先端部は、いずれも該綴じ板６に回動自在に結合する。また先に述べ、同図に示すように、二つの補助クランク状アーム８ａ、８ｂは、該クランク状アーム７の前後等距離の部位に結合する。
【００２６】
また以上の補助クランク状アーム８ａ、８ｂは、その基部軸を、前記板状ベース部１に立設したブラケット１ｂ、１ｄ及び前記係止側板５に回動自在に取り付けたものである。詳細には該補助クランク状アーム８ａは、その基部軸の外端を該係止側板５に、内端を該板状ベース部１の長さ方向中央付近に位置するブラケット１ｂに、それぞれ回動自在に配し、該補助クランク状アーム８ｂは、その基部軸の外端を該係止側板５に、内端を該板状ベース部１の長さ方向一端付近に位置するブラケット１ｄに、それぞれ回動自在に配したものである。該補助クランク状アーム８ａ、８ｂのアーム部（基部軸と先端部以外の部位）の長さは、前記クランク状アーム７のアーム部の長さと同一寸法とする。
【００２７】
従って、図２に示すように、前記レバー部材２を起立操作して、該クランク状アーム７の先端側を上昇させると、前記綴じ板６は、前記板状ベース部１に平行状態を保持しながら上昇する。該レバー部材２を伏動作させた場合には、前記板状ベース部１に平行状態を保持しながら下降することになる。
【００２８】
前記弾性板材９は、図１、図３(b)、(c)及び図４に示すように、前記板状ベース部１の前記綴じ板６と対面する部位であって、その四辺形の押圧部６ａの内側の部位に固設する平面視四辺形の合成ゴム製の板状部材である。この弾性板材９は、図３(a)、(b)、図４及び図６に示すように、その上面を平坦上面９ａに構成し、裏面に、これ自身の幅より若干細い長方形状の凹部９ｂを形成し、更に該凹部９ｂの下面には、図４に示すように、３個の結合突起９ｃ、９ｃ、９ｃを垂下突設してあるものである。
【００２９】
前記結合突起９ｃは、図３(a)及び図６に示すように、拡大頭部９ｃ１とその直上の該拡大頭部９ｃ１より小径の首部９ｃ２とからなるものである。
【００３０】
前記板状ベース部１の前記弾性板材９を取り付ける部位は、図３(a)、図５及び図６に示すように、該弾性板材９の前記凹部９ｂに対応する寸法形状で上方に膨らむ台形膨出部１３に構成してあり、該台形膨出部１３には、その長さ方向に沿って三個の取付孔１３ａ、１３ａ、１３ａを連設開口してある。この取付孔１３ａ、１３ａ、１３ａの配置は、当然、前記弾性板材９の結合突起９ｃ、９ｃ、９ｃに対応するように設定してあり、かつ該取付孔１３ａ、１３ａ、１３ａの径は、該結合突起９ｃ、９ｃ、９ｃの首部９ｃ２の径を僅かに越え、拡大頭部９ｃ１の径を下回るものとする。
【００３１】
従って前記弾性板材９は、図３(a)、図４及び図６に示すように、前記板状ベース部１の前記台形膨出部１３の上に前記凹部９ｂを対応させつつ配置し、かつ前記取付孔１３ａ、１３ａ、１３ａに下面の結合突起９ｃ、９ｃ、９ｃをそれぞれその弾力を利用して挿入する。該結合突起９ｃ、９ｃ、９ｃは該取付孔１３ａ、１３ａ、１３ａに首部９ｃ２が嵌合状態になれば、云うまでもなく、固定状態になる。こうして前記弾性板材９は、前記台形膨出部１３上に固設された状態となる。
【００３２】
この実施例の綴じ金具は、以上のような構成であり、それ故、一般のそれと同様に、その板状ベース部１の取付穴１２、１２を利用して、例えば、リベット等で、図７に示すように、ファイル用バインダ１１等の取付対象に取り付けて使用することができる。
【００３３】
この実施例の綴じ金具は使用法も一般のそれと全く同様である。使用した場合に、対象紙片１４の保持が確実になり、若干の衝撃を受けるようなことがあっても、この綴じ金具から該対象紙片１４を容易に脱落させない点が異なるのみである。
【００３４】
以下に、用法、作用及び効果を説明する。
伏状態のレバー部材２について、その係止突起２ａを係止側板５の係止穴５ａから外して起立動作を許容すると、図２に示すように、これに伴って綴じ板６が板状ベース部１から浮上することになり、この種の一般の綴じ金具と同様に、該綴じ板６と板状ベース部１の台形膨出部１３上に配した弾性板材９との間に隙間が空いて対象紙片１４を挿入することができる。なお、前記係止突起２ａを係止側板５の係止穴５ａから外すためには前記レバー部材２を僅かに綴じ板６側に動かせば良い。一般のそれと同様である。
【００３５】
対象紙片１４の綴じ板６と板状ベース部１上の弾性板材９との間への挿入は、単にその上端をその間に挿入すればよい。可能なだけ挿入すると、該板状ベース部１に立設してある前記四個のブラケット１ａ、１ｂ、１ｃ、１ｄが、図７に示すように、ストッパとして作用し、対象紙片１４の挿入可能な限度を規定する。
【００３６】
この後、該レバー部材２を、前記ネジリコイルバネ４の弾力に抗して最下部まで押し下げる伏動作をさせると、その係止突起２ａが前記係止側板５の係止穴５ａに係止してその伏状態が保持されることになる。すなわち、前記綴じ板６を浮かせた際に、対象紙片１４をその下方に挿入しておけば、該対象紙片１４は、綴じ板６と弾性板材９及び板状ベース部１の該当部位との間で挟持され、これによって確実に綴じられた状態となる。
【００３７】
このとき、この綴じ金具で綴じられる対象紙片１４は、図６に示すように、板状ベース部１の綴じ板６に近接する側の側辺側から線状に膨出する突条１０の上面、綴じ板６の押圧部６ａと板状ベース部１の対応する上面との間、弾性板材９の平坦上面９ａ上、綴じ板６の押圧部６ａと板状ベース部１の対応する上面との間というように、高低ジグザグに屈曲させられ、それ故、それぞれの部位でそれぞれと極めて強く接触することになり、この綴じ金具の対象紙片１４に対する保持力が非常に高いものとなっている。
【００３８】
従ってこの実施例の綴じ金具で綴じられた対象紙片１４は、該綴じ金具を持って該対象紙片１４を下方に吊り下げ、この状態で綴じ金具に衝撃を与えたとしても容易に該綴じ金具から滑り落ち脱落するようなことはない。
【産業上の利用可能性】
【００３９】
本考案の綴じ金具は、文房具の製造業の分野で利用することができる。
【符号の説明】
【００４０】
１    板状ベース部
１ａ、１ｂ、１ｃ、１ｄ  ブラケット
２    レバー部材
２ａ  レバー部材の係止突起
３    支軸
４    ネジリコイルバネ
５    係止側板
５ａ  係止側板の係止穴
６    綴じ板
６ａ  綴じ板の押圧部
６ｂ  綴じ板の容器状部
７    クランク状アーム
８ａ、８ｂ  補助クランク状アーム
９    弾性板材
９ａ  弾性板材の平坦上面
９ｂ  弾性板材の凹部
９ｃ  弾性板材の結合突起
９ｃ１  結合突起の拡大頭部
９ｃ２  結合突起の首部
１０  突条
１１  ファイル用バインダ
１２  板状ベース部の取付穴
１３  台形膨出部
１３ａ  台形膨出部の取付孔
１４  対象紙片
【図１】
0003174149.tif 000003
【図２】
0003174149.tif 000004
【図３】
0003174149.tif 000005
【図４】
0003174149.tif 000006
【図５】
0003174149.tif 000007
【図６】
0003174149.tif 000008
【図７】
0003174149.tif 000009